(57)【要約】【課題】使用者の手間を煩わすことなく整流板を清潔な状態に維持できるレンジフードを提供する。【解決手段】レンジフードＸは、吸気口１ａと排気口１ｂとを有するハウジング１と、ハウジング１の内部に配置され、空気を吸気口１ａから排気口１ｂへと送る送風機構２と、ハウジング１の内部に配置され、給液源３０に接続された給液管３と、吸気口１ａに設けられ、液体の排液口４１を有する整流板４と、排液口４１に接続された排液管５とを備え、給液管３には、給液源３０から供給される液体を整流板４に向けて吹き出す吹出口３１が設けられており、整流板４は、吹出口３１から吹き出された液体を貯留するように構成されている。【選択図】図１
2018159505.tif 000002
【特許請求の範囲】
【請求項１】
吸気口と排気口とを有するハウジングと、
前記ハウジングの内部に配置され、空気を前記吸気口から前記排気口へと送る送風機構と、
前記ハウジングの内部に配置され、給液源に接続された給液管と、
前記吸気口に設けられ、液体の排液口を有する整流板と、
前記排液口に接続された排液管とを備え、
前記給液管には、前記給液源から供給される液体を前記整流板に向けて吹き出す吹出口が設けられており、
前記整流板は、前記吹出口から吹き出された液体を貯留するように構成されているレンジフード。
【請求項２】
前記吹出口は、前記整流板に貯留された液面に沿う方向に液体を吹き出す請求項１に記載のレンジフード。
【請求項３】
前記整流板は、底部と当該底部と一体で形成された周壁部とで構成されており、
前記排液口は、前記周壁部の前記底部とは反対側に設けられる第一排液口と、前記底部のうち最も低い位置に設けられる第二排液口とを有する請求項１又は２に記載のレンジフード。
【請求項４】
前記送風機構の稼働指令および停止指令を入力可能な第一入力部と、
前記整流板の洗浄指令を入力可能な第二入力部と、
前記吹出口および前記排液口の作動を制御する制御部と、をさらに備え、
前記制御部は、前記第一入力部に前記停止指令が入力され、且つ前記第二入力部に前記洗浄指令が入力されたときに、前記第一排液口を開放した状態で前記吹出口から液体を吹き出し、所定時間経過した後に前記第二排液口を開放して前記整流板に貯留された液体を排出する請求項３に記載のレンジフード。
【請求項５】
前記送風機構の稼働指令が入力される前に、前記吹出口から液体を吹き出して前記整流板に液体を貯留する請求項４に記載のレンジフード。
【発明の詳細な説明】
【技術分野】
【０００１】
本発明は、自動洗浄可能なレンジフードに関する。
【背景技術】
【０００２】
調理で発生する油分を含んだ空気を排出させるレンジフードが普及している。このレンジフードは、吸気口と排気口とを有するハウジングと、空気を吸気口から排気口へと送る送風機構と、吸気口に設けられる整流板と、を備えている。空気の送風過程において、空気から分離した油分が送風機構や整流板に付着する。
【０００３】
特許文献１には、送風機構（文献では排気用羽根車）を自動洗浄する技術が開示されている。特許文献１のレンジフードは、排気用羽根車を収容する送風ケーシングと、貯水タンクからの水を送風ケーシング内に吹き出すノズルとを備えている。これにより、回転させた排気用羽根車にノズルから吹き出された水を衝突させて油膜を剥離除去し、遠心力により油分を含む水を飛散させて洗浄するものである。
【０００４】
特許文献２には、送風機構を羽根車と動力伝達部材とで構成し、この動力伝達部材の周囲に取付けられたフィルタを自動洗浄する技術が開示されている。特許文献２のレンジフードは、羽根車および動力伝達部材を収容する送風機ボックスと、タンクからの水をフィルタに吹き出すノズルとを備えている。これにより、洗剤を含浸させたフィルタに水を衝突させて、フィルタに付着した油分を取り除くものである。
【先行技術文献】
【特許文献】
【０００５】
【特許文献１】特開２０１３−４４４７１号公報
【特許文献２】特開２０１６−１３２２９号公報
【発明の概要】
【発明が解決しようとする課題】
【０００６】
ハウジングの内部における空気の送風経路には整流板の内面が存在しており、衝突した空気から分離された油分が整流板の内面に付着したり、ハウジングの内面に衝突した空気から分離された油分が整流板に落下して整流板の内面に付着したりする。このため、従来のレンジフードでは、整流板を取り外して手動で洗浄する必要があった。整流板を取り外して洗浄するのは手間がかかるので、使用者によっては長期間放置して整流板に油分がこびり付いてしまい、洗浄が困難になるケースもあった。
【０００７】
そこで、使用者の手間を煩わすことなく整流板を清潔な状態に維持できるレンジフードが望まれている。
【課題を解決するための手段】
【０００８】
本発明に係るレンジフードの特徴構成は、吸気口と排気口とを有するハウジングと、前記ハウジングの内部に配置され、空気を前記吸気口から前記排気口へと送る送風機構と、前記ハウジングの内部に配置され、給液源に接続された給液管と、前記吸気口に設けられ、液体の排液口を有する整流板と、前記排液口に接続された排液管とを備え、前記給液管には、前記給液源から供給される液体を前記整流板に向けて吹き出す吹出口が設けられており、前記整流板は、前記吹出口から吹き出された液体を貯留するように構成されている点にある。
【０００９】
本構成では、給液源に接続された給液管に設けられた吹出口から吹き出された液体を整流板で貯留する。その結果、整流板の内面に落下してきた油分を液面に浮かせることができる。
【００１０】
また、整流板に排液口を設けているので、油分が混入した液体を都度排出することが可能となり、整流板を清潔な状態にすることができる。
【００１１】
このように、使用者の手間を煩わすことなく整流板を清潔な状態に維持できるレンジフードを提供できた。
【００１２】
他の構成は、前記吹出口は、前記整流板に貯留された液面に沿う方向に液体を吹き出す点にある。
【００１３】
本構成のように、吹出口を整流板に貯留された液面に沿う方向に液体を吹き出せば、液面に浮上した油分を強制的に除去することができる。
【００１４】
他の構成は、前記整流板は、底部と当該底部と一体で形成された周壁部とで構成されており、前記排液口は、前記周壁部の前記底部とは反対側に設けられる第一排液口と、前記底部のうち最も低い位置に設けられる第二排液口とを有する点にある。
【００１５】
本構成では、周壁部の底部とは反対側に設けられる第一排液口によって液面に浮上した油分が排出され、底部のうち最も低い位置に設けられる第二排液口によって貯留された液体が排出される。その結果、整流板に残存した液体が蒸発して、整流板の内面に油分が再付着するといった不都合が無いので、整流板を清潔な状態に維持することができる。
【００１６】
他の構成は、前記送風機構の稼働指令および停止指令を入力可能な第一入力部と、前記整流板の洗浄指令を入力可能な第二入力部と、前記吹出口および前記排液口の作動を制御する制御部と、をさらに備え、前記制御部は、前記第一入力部に前記停止指令が入力され、且つ前記第二入力部に前記洗浄指令が入力されたときに、前記第一排液口を開放した状態で前記吹出口から液体を吹き出し、所定時間経過した後に前記第二排液口を開放して前記貯留部に貯留された液体を排出する点にある。
【００１７】
本構成では、第一排液口を開放した状態で前記吹出口から液体を吹き出すので、液面に浮上した油分が都度排出される。また、第二排出口を開放して貯留部に貯留された液体を排出するので、長時間液体が放置されて不衛生になることも無い。よって、整流板を清潔な状態に維持することができる。また、送風機構を停止させてから整流板の洗浄を開始するので、吹出口から吹き出された液体が送風機構によって拡散することが無い。しかも、洗浄指令を入力するだけで洗浄が開始するので、使用者の手間を煩わせることも無い。
【００１８】
他の構成は、前記送風機構の稼働指令が入力される前に、前記吹出口から液体を吹き出して前記整流板に液体を貯留する点にある。
【００１９】
本構成では、送風機構が駆動する前に整流板に液体を貯留するので、空気に含まれる油分が整流板の内面に付着することを防止できる。
【図面の簡単な説明】
【００２０】
【図１】レンジフードの概略図である。
【図２】レンジフードの底面図である。
【図３】整流板の斜視図である。
【図４】レンジフードの制御ブロック図である。
【図５】整流板の洗浄フロー図である。
【図６】別実施形態１に係る整流板の斜視図である。
【図７】別実施形態２に係る整流板の断面図である。
【発明を実施するための形態】
【００２１】
以下に、本発明に係るレンジフードの実施形態について、図面に基づいて説明する。ただし、以下の実施形態に限定されることなく、その要旨を逸脱しない範囲内で種々の変形が可能である。
【００２２】
本実施形態のレンジフードＸは、調理器（不図示）の上方に設けられており、調理で発生した油分を含んだ空気等を排出させるものである。図１に示すように、レンジフードＸは、ハウジング１と、送風機構２と、給水管３（給液管の一例）と、整流板４と、排水管５（排液管の一例）とを備えている。
【００２３】
ハウジング１は、空気の吸入口となる吸気口１ａと、空気の排出口となる排気口１ｂとを有している。ハウジング１と整流板４とで囲まれた内部空間１０には、送風機構２と給水管３とが収容されている。本実施形態では、吸気口１ａをハウジングの下部開口に設けて、この吸気口１ａに整流板４を設けている。なお、吸気口１ａをハウジング１の下部開口よりも上側に設定して整流板４をハウジング１の下部開口から上側に離間させた状態で配置しても良いし、吸気口１ａをハウジング１の下部開口よりも下側に設定して整流板４をハウジング１の下部開口から下側に離間させた状態で配置しても良い。
【００２４】
送風機構２は、ハウジング１の内部空間１０に配置されている。送風機構２は、モータ等で駆動されるシロッコファンを有しており、このシロッコファンが回転駆動されることで吸気口１ａから吸込んだ空気が排気口１ｂに向けて送られる。この送風機構２は、送風ケージング２１に収容されており、送風ケージング２１の底部には、小孔２１ａが形成されている。なお、送風機構２の前面（空気の上流側）にフィルタを設けても良いし、送風機構２をプロペラファンで構成しても良く、送風機構２は空気を送る構造であればどのようなものであっても良い。
【００２５】
給水管３は、送風機構２と整流板４との間で、ハウジング１の内部空間１０に配置されている。この給水管３は、給湯器等の給湯源３０（給液源の一例）に接続されており、温水（液体の一例）をハウジング１の内部空間１０に供給可能に構成されている。給水管３には、給湯源３０から供給される温水を整流板４に向けて吹き出すノズル３１（吹出口の一例）が設けられている（図３参照）。また、給水管３の経路上には、第一開閉弁３ａが設けられている。第一開閉弁３ａを開弁することにより、ノズル３１から吹き出された温水を整流板４に貯留して整流板４の内面４０に落下してきた油分を液面に浮かせた後、ノズル３１から吹き出された温水で水面の油分を除去する。
【００２６】
また、レンジフードＸは、給水管３から分岐され、送風機構２に向けて温水を吹き出す吹出口３２ａを有する分岐管３２を備えている。分岐管３２の経路上には、第二開閉弁３２ｂが設けられている。第二開閉弁３２ｂを開弁することにより、吹出口３２ａから吹き出された温水で送風機構２の内部を洗浄する。洗浄後の温水は、送風ケージング２１の底部に設けられた小孔２１ａから排出されて整流板４に落下し、後述する整流板４の排水口４１から排出されるように構成されている。なお、送風機構２を洗浄する分岐管３２を省略しても良いし、吹出口３２ａは、温水をミスト状にして噴出させても良いし、ミストを噴出させた後に塊状の温水を吹き出すように構成しても良い。
【００２７】
図２に示すように、整流板４は、ハウジング１に固定された状態で吸気口１ａの中央を閉塞する状態で配置されている。この整流板４は、吸気口１ａの開口面積を絞る機能を有しており、調理で発生した油分を含んだ空気等の吸込速度を高めるものである。整流板４は底面視矩形状に形成されており、３辺に沿った吸気口１ａを設け、残りの１辺を構成する一端をハウジング１と密着させている。なお、吸気口１ａは、整流板４の一端をハウジング１に密着させずに整流板４の４辺に沿って設けても良いし、４辺のうちの少なくとも１辺に設けても良く、特に限定されない。整流板４の一端をハウジング１に密着させずに整流板４の一端とハウジング１との間に隙間を設ける場合、整流板４の全周に吸気口１ａが設けられるので、空気等の吸込速度を確実に高めることができる。なお、整流板４の固定は、ハウジング１に固定する形態に限定されず、壁に固定したり別部材に固定したりする形態であっても良い。
【００２８】
図３に示すように、整流板４は、底部４ａと底部４ａの４辺から上方に延出した側壁４ｂ（周壁部の一例）とを有している。整流板４は、板状部材（ステンレス板や鋼板等）をプレス加工して成形されており、ハウジング１の内部空間１０の側に開口を有するボックス形状を呈している。ここで、整流板４の底部４ａのうち、ハウジング１の内部空間１０の側の面が整流板４の内面４０と定義される。整流板４には、底部４ａと側壁４ｂとで囲まれる空間に温水を貯留する貯留部４ｃが形成されている。また、整流板４には水位センサＳが設けられており、この水位センサＳによって貯留部４ｃの貯留水位を計測するように構成されている。
【００２９】
図１に示すように、整流板４のハウジング１と密着した一端側には排水口４１（排液口の一例）が設けられており、この排水口４１に排水管５が接続されている。排水口４１は、整流板４の側壁４ｂの底部４ａとは反対側に設けられる第一排水口４１ａ（第一排液口の一例）と、整流板４の底部４ａのうち最も低い位置に設けられる第二排水口４１ｂ（第二排液口の一例）とを有している。具体的には、第一排水口４１ａは整流板４の壁Ｗ側の側壁４ｂの上辺中央を切欠いて形成されており、第二排水口４１ｂは整流板４の壁Ｗ側の底部４ａを貫通形成されている。なお、第一排水口４１ａは整流板４の壁Ｗ側の側壁４ｂの上辺両端を切欠いて２箇所形成しても良いし、第二排水口４１ｂは整流板４の壁Ｗ側の底部４ａを２箇所で貫通形成しても良く、排水口４１の数量，配置は特に限定されない。
【００３０】
整流板４の内面４０には撥油加工や、撥水加工又は親水性加工が施されており、これにより空気に含まれる油分のこびり付きが防止される。排水口４１が設けられた整流板４の一端側とは反対側である整流板４の他端側の直上には、ノズル３１が設けられている。
【００３１】
排水管５は、整流板４の一端に設けられた排水口４１に接続されており、壁Ｗに埋設された状態で下水道管に合流している。具体的には、第一排水口４１ａに接続される第一排水管５Ａと、第二排水口４１ｂに接続される第二排水管５Ｂとを合流させて排水管５を形成している。また、第二排水管５Ｂには第三開閉弁５Ｂａが設けられている。
【００３２】
図４は、レンジフードＸに備えられている機能部を表す機能ブロック図である。本実施形態における各機能部は、各種処理を実行するプロセッサやメモリを中核としてハードウェア又はソフトウェア或いはその両方で構築されている。
【００３３】
レンジフードＸは、使用者がレンジフードＸの操作を入力可能なリモートコントローラＲ（入力部の一例であり、入力部がレンジフードＸに内蔵されていても良い。）と、リモートコントローラＲからの出力信号を受けてレンジフードＸの作動を制御する制御部Ｃとを備えている。なお、リモートコントローラＲからの出力信号を制御部Ｃに伝達する手段は、無線通信であっても、有線通信であっても良い。
【００３４】
リモートコントローラＲは、送風機構２の稼働指令を入力可能な稼動ボタン５１（第一入力部の一例）と、送風機構２の停止指令を入力可能な停止ボタン５２（第一入力部の一例）と、レンジフードＸの洗浄指令を入力可能な洗浄ボタン５３（第二入力部の一例）と、を備えている。なお、リモートコントローラＲは、電源ボタン等の他の機能ボタンも有しているが説明を省略する。また、整流板４の貯留部４ｃに温水の貯留を開始する貯留ボタンを設けても良い。
【００３５】
洗浄ボタン５３は、少なくとも整流板４の洗浄指令を入力可能に構成されている。上述したように、送風機構２の洗浄機能を有する場合は、洗浄ボタン５３を押下することで、整流板４に加えて送風機構２も洗浄するように構成されている。なお、稼動ボタン５１および停止ボタン５２は、１つのボタンで入／切を変更できるように構成しても良いし、２つのボタンで構成しても良い。また、洗浄ボタン５３は、整流板４を洗浄するためのボタンと送風機構２を洗浄するためのボタンとを２つ備えていても良いし、洗浄停止ボタンを別途設けても良い。
【００３６】
制御部Ｃは、リモートコントローラＲおよび水位センサＳからの出力信号に基づいてレンジフードＸの作動の要否を判定する判定部６１と、判定部６１の判定結果を受けて送風機構２の作動を制御する送風機構制御部６２と、整流板４の貯留部４ｃに対する温水の貯留を制御する貯留制御部６３と、判定部６１の判定結果を受けて少なくとも整流板４の洗浄処理を制御する洗浄制御部６４と、判定部６１の判定結果を受けて使用者にレンジフードＸの状態を報知する報知部６５と、を備えている。
【００３７】
判定部６１は、使用者が稼動ボタン５１を押下すると、送風機構２の稼働信号を送風機構制御部６２に伝達し、使用者が停止ボタン５２を押下すると、送風機構２の停止信号を送風機構制御部６２に伝達する。判定部６１は、送風機構２の総運転時間が第一所定時間Ｔ１（例えば１時間）以上か否かを判定する。また、判定部６１は、水位センサＳから伝達された貯留部４ｃの貯留水位が、所定水位（第一排水口４１ａの下端）に達しているかを判定する。
【００３８】
判定部６１は、停止ボタン５２および洗浄ボタン５３が押下されたとき、少なくとも整流板４の洗浄指令を洗浄制御部６４に伝達する。このとき、判定部６１は、洗浄ボタン５３が押下された後、ノズル３１から温水を吹き出す時間が第二所定時間Ｔ２（例えば５分）以上となったか否かを判定する。
【００３９】
送風機構制御部６２は、判定部６１から稼動信号を受けたとき、送風機構２を駆動させて、調理で発生した油分を含んだ空気等を吸気口１ａから吸引し、排気口１ｂから排出させる。また、送風機構制御部６２は、判定部６１から停止信号を受けたとき、送風機構２を停止させる。
【００４０】
貯留制御部６３は、レンジフードＸの電源が入力されたとき、第一開閉弁３ａを開弁してノズル３１から温水を吹き出し、貯留部４ｃの貯留を開始する。そして、貯留部４ｃの貯留水位が所定水位となったとき、第一開閉弁３ａを閉弁してノズル３１からの温水の吹き出しを停止する。このように、送風機構２が駆動する前に整流板４に温水を貯留するので、空気に含まれる油分が整流板４の内面４０に付着することを防止できる。なお、判定部６１から洗浄指令をうけたときに貯留部４ｃの貯留を開始しても良いし、電源投入後、所定時間経過してから貯留部４ｃの貯留を開始しても良いし、電源がオフとなったときに貯留を開始しても良く、貯留のタイミングは特に限定されない。
【００４１】
洗浄制御部６４は、判定部６１から洗浄指令を受けたとき、第一開閉弁３ａを開弁してノズル３１から整流板４に向けて温水を吹き出す。このとき、第二開閉弁３２ｂも開弁して、吹出口３２ａから送風機構２の内部に向けて温水を吹き出しても良い。なお、洗浄制御部６４は、判定部６１から洗浄指令を受けたときに第一開閉弁３ａを必ず開弁し、第二開閉弁３２ｂは、洗浄指令の複数回に１回ごとに開弁するように構成しても良い。
【００４２】
報知部６５は、判定部６１から送風機構２の総運転時間が第一所定時間Ｔ１以上であるとの判定結果を受けたとき、使用者に洗浄時期が来たことを報知する。報知形態としては、例えば、洗浄ボタン５３を点滅させたり、音声で報知したり、別途設けた発光部（例えば、ＬＥＤライト）を点灯させたりする。これによって、使用者に洗浄ボタン５３を押下するように促すことができる。また、報知部６５は、送風機構２が駆動中である場合に稼動ボタン５１を点灯させ、レンジフードＸを洗浄中である場合に洗浄ボタン５３を点灯させる。
【００４３】
続いて、図５を用いて、本実施形態に係る整流板４の洗浄方法の一例について説明する。
【００４４】
レンジフードＸの電源が入力されると、第一開閉弁３ａを開弁してノズル３１から温水を吹き出し、貯留部４ｃの貯留を開始する（♯７０）。このとき、貯留部４ｃの貯留水位が、所定水位（第一排水口４１ａの下端）に達していれば、貯留を開始しない。次いで、使用者が稼動ボタン５１を押下すると、送風機構２の運転が開始する（♯７１）。次いで、判定部６１は、使用者が停止ボタン５２を押下して送風機構２の停止指令が入力されたか否かを判定する（♯７２）。送風機構２の停止指令が入力されていない場合（♯７２Ｎо判定）、送風機構２の運転を継続する。一方、送風機構２の停止指令が入力された場合（♯７２Ｙｅｓ判定）、判定部６１は、送風機構２の総運転時間が第一所定時間Ｔ１以上か否かを判定する（♯７３）。送風機構２の総運転時間が第一所定時間Ｔ１以上の場合（♯７３Ｙｅｓ判定）は、報知部６５によって洗浄時期が来たことを使用者に報知する（♯７４）。
【００４５】
次いで、使用者が洗浄ボタン５３を押下して洗浄指令があった場合（♯７５Ｙｅｓ判定）、判定部６１は、整流板４の洗浄指令を貯留制御部６３および洗浄制御部６４に伝達する。このとき、貯留制御部６３は、貯留部４ｃの貯留水位が、所定水位に達しているかを判定する（♯７６）。貯留部４ｃの貯留水位が所定水位に達していない場合（♯７６Ｎо判定）、第一開閉弁３ａを開弁してノズル３１から温水を吹き出し、貯留部４ｃに温水を貯留する（♯７７）。
【００４６】
そして、洗浄指令を受けた洗浄制御部６４は、第一開閉弁３ａを開弁操作して、ノズル３１から整流板４に向けて温水を吹き出す（♯７８）。これによって、貯留部４ｃの液面に浮き上がった油分を洗い流して、整流板４の一端に設けられた第一排水口４１ａから排水する。つまり、貯留部４ｃの液面に浮き上がった油分を含む上澄みが排出される。
【００４７】
次いで、ノズル３１から整流板４に向けて温水を吹き出す時間が第二所定時間Ｔ２以上となった場合（♯７９Ｙｅｓ判定）、洗浄を停止して第三開閉弁５Ｂａを開弁し、貯留部４ｃに貯留された温水を第二排水口４１ｂから排水する（♯８０）。これによって、洗浄処理を終了する。このとき、報知部６５は、洗浄ボタン５３を消灯すると共に、音声や発光部の消灯等によって洗浄終了を使用者に報知する。なお、第二排水口４１ｂからの排水は、レンジフードＸの電源がオフとなったときに排水しても良いし、貯留部４ｃに温水を貯留したままであっても良い。
【００４８】
本実施形態では、ノズル３１が整流板４に向けて吹き出した温水を貯留部４ｃに貯留するように構成されているので、整流板４の内面４０に落下してきた油分を液面に浮かせて洗浄することができる。しかも、整流板４に第一排水口４１ａを設けているので、貯留部４ｃの液面に浮上した油分を都度排出することが可能となり、整流板４を清潔な状態にすることができる。
【００４９】
本実施形態では、第一排水口４１ａによって液面に浮上した油分が排出され、第二排水口４１ｂによって貯留された温水が排出される。その結果、整流板４に残存した温水が蒸発して、整流板４の内面４０に油分が再付着するといった不都合が無いので、整流板４を清潔な状態に維持することができる。
【００５０】
本実施形態では、第二排水口４１ｂを開放して貯留部４ｃに貯留された温水を排出するので、次回運転時まで温水が放置されて不衛生になることも無い。また、送風機構２を停止させてから、整流板４の洗浄を開始するので、ノズル３１から吹き出された温水が送風機構２によって拡散することが無い。
【００５１】
［その他の実施形態］
（１）図６に示すように、一対のノズル３１を整流板４の一対の側壁４ｂのうち第一排水口４１ａの下端と略同一の高さ位置（液面より上側）に形成した一対の貫通孔部４３に挿入して、ノズル３１の先端を整流板４の内部に露出させても良い。この場合、ノズル１１は、整流板４に貯留された液面に沿う方向に温水を吹き出す。このため、液面に浮上した油分を強制的に除去することができる。
【００５２】
（２）図７に示すように、整流板４の底部４ａに傾斜を形成して、整流板４の内面４０に、ノズル３１の直下となる整流板４の他端側から排水口４１が設けられる一端側に向かって内部空間１０から離間するような傾斜面を設けても良い。この場合、整流板４の他端側の側壁４ｂを、整流板４の一端側の側壁４ｂよりも高さを大きく形成するのが好ましい。これによって、ノズル３１から吹き出される温水は、整流板４の他端側の側壁４ｂの傾斜面に沿って流下し、整流板４に貯留された液面に沿う方向に流れる。このため、液面に浮上した油分を強制的に除去することができる。なお、整流板４の底部４ａを別部材にして、底部４ａと側壁４ｂとの間を中空で構成しても良い。
【００５３】
（３）ノズル３１から吹き出す液体は、温水に限定されず、冷水でも良いし、水に薬剤を混合させた洗浄液であっても良い。
【００５４】
（４）第一排水口４１ａおよび第二排水口４１ｂの何れか一方のみで構成しても良い。また、第二排水口４１ｂからの排水時にノズル３１から温水を吹き出しても良い。また、第一排水管５Ａに開閉弁を設けて、貯留部４ｃの貯留水位が所定水位となったときのみ開弁するように構成しても良い。
【００５５】
（５）ノズル３１は、整流板４の中央の直上に１箇所や側壁４ｂに２箇所設ける形態に限定されない。例えば、ノズル３１は、整流板４の両端の直上に２箇所や整流板４の側壁４ｂに１箇所配置しても良いし、ノズル３１を３つ以上設けて配置しても良い。また、給水管３を複数設けても良い。
【００５６】
（６）上述した実施形態では、給水管３を給湯器等の給湯源３０と直接接続したが、給湯源３０と第一開閉弁３ａとの間に貯留タンクを設けて、この貯留タンクからポンプで洗浄液を供給できるような構成にしても良い。
【００５７】
なお、上述した実施形態（別実施形態を含む、以下同じ）で開示される構成は、矛盾が生じない限り、他の実施形態で開示される構成と組み合わせて適用することが可能である。また、本明細書において開示された実施形態は例示であって、本発明の実施形態はこれに限定されず、本発明の目的を逸脱しない範囲内で適宜改変することが可能である。
【産業上の利用可能性】
【００５８】
本発明は、調理器の上方に設けられるレンジフードに利用可能である。
【符号の説明】
【００５９】
１      ハウジング
１ａ    吸気口
１ｂ    排気口
２      送風機構
３      給水管（給液管）
４      整流板
４ａ    底部
４ｂ    側壁（周壁部）
５      排水管（排液管）
３０    給湯源（給液源）
３１    ノズル（吹出口）
４１    排水口（排液口）
４１ａ  第一排水口（第一排液口）
４１ｂ  第二排水口（第二排液口）
５１    稼動ボタン（第一入力部）
５２    停止ボタン（第一入力部）
５３    洗浄ボタン（第二入力部）
Ｃ      制御部
Ｘ      レンジフード
【図１】
2018159505.tif 000003
【図２】
2018159505.tif 000004
【図３】
2018159505.tif 000005
【図４】
2018159505.tif 000006
【図５】
2018159505.tif 000007
【図６】
2018159505.tif 000008
【図７】
2018159505.tif 000009